(57)【特許請求の範囲】
【請求項１】
画像を表示するパネル表示領域を有する表示パネルと、
前記表示パネルを取り囲む形で配される枠状部材であって、前記パネル表示領域の外側にあって前記パネル表示領域での表示とは独立した表示をするパネル外表示部に表示のための光を照射するパネル外照明装置を着脱可能な形で保持する保持構造を有する枠状部材と、を備え、
前記枠状部材には、前記枠状部材に対する着脱方向が前記表示パネルの表示面に沿う方向と一致する前記パネル外照明装置を収容する収容空間が外部に開口する形で設けられており、
前記枠状部材は、前記表示パネルの外周端部を表示面側から押さえるパネル押さえ部を少なくとも有しており、
前記パネル押さえ部には、前記表示面側とは反対側の面を凹ませることで前記収容空間が設けられている表示装置。
【請求項２】
前記表示パネルの前記外周端部の一部に接続されて前記パネル押さえ部の一部と重畳する形で配されるフレキシブル基板を備えており、
前記パネル押さえ部には、前記フレキシブル基板と重畳する部分に前記収容空間が設けられている請求項１記載の表示装置。
【請求項３】
画像を表示するパネル表示領域を有する表示パネルと、
前記表示パネルを取り囲む形で配される枠状部材であって、前記パネル表示領域の外側にあって前記パネル表示領域での表示とは独立した表示をするパネル外表示部に表示のための光を照射するパネル外照明装置を着脱可能な形で保持する保持構造を有する枠状部材と、を備え、
前記枠状部材には、前記枠状部材に対する着脱方向が前記表示パネルの表示面に沿う方向と一致する前記パネル外照明装置を収容する収容空間が外部に開口する形で設けられており、
前記枠状部材は、前記表示パネルの外周端部を表示面側とは反対側から受けるパネル受け部と、前記パネル受け部に対して外周側に配される外周側枠状部と、を少なくとも有しており、
前記外周側枠状部には、側面を凹ませることで前記収容空間が設けられている表示装置。
【請求項４】
前記表示パネルの前記外周端部の一部に接続されて前記パネル受け部及び前記外周側枠状部の一部と重畳する配置となるフレキシブル基板を備えており、
前記外周側枠状部には、前記フレキシブル基板とは非重畳となる部分に前記収容空間が設けられている請求項３記載の表示装置。
【請求項５】
請求項１から請求項４のいずれか１項に記載の表示装置と、
前記パネル表示領域の外側にあって前記パネル表示領域での表示とは独立した表示をする前記パネル外表示部と、
前記枠状部材に着脱可能な形で保持されて前記パネル外表示部に表示のための光を照射する前記パネル外照明装置と、を備えるパネル外表示機能付き表示装置。
【請求項６】
前記枠状部材には、前記パネル外照明装置を収容する収容空間が外部に開口する形で設けられており、
前記パネル外照明装置は、
前記収容空間を複数の仕切り空間に仕切る仕切り部と、
複数の前記仕切り空間の少なくともいずれか１つに収容される光源と、を少なくとも備える請求項５記載のパネル外表示機能付き表示装置。
【請求項７】
前記パネル外照明装置は、
前記光源が実装される光源基板と、
前記収容空間に収容される仕切り部材であって、複数の前記仕切り部、複数の前記仕切り部を繋ぐ繋ぎ部、及び前記光源が前記仕切り空間に収容された状態で前記光源基板を保持する保持部を有する仕切り部材と、を備える請求項６記載のパネル外表示機能付き表示装置。
【請求項８】
前記パネル外照明装置は、前記光源に、互いに異なる有彩色の光を発する複数の有彩色光源が含まれている請求項６または請求項７記載のパネル外表示機能付き表示装置。
【請求項９】
前記パネル外照明装置は、前記光源の発光面が、前記枠状部材における前記収容空間の内面と対向するよう配されてなる請求項６から請求項８のいずれか１項に記載のパネル外表示機能付き表示装置。
【請求項１０】
前記光源が実装される光源基板であって、前記枠状部材のうち前記収容空間の開口が形成された外面に沿って延在する板面に前記光源が実装されていて前記光源の発光面が前記板面とは反対側を向いてなる光源基板を備えている請求項９記載のパネル外表示機能付き表示装置。
【請求項１１】
前記枠状部材における前記収容空間の内面に重なる形で設けられて前記光源の光を反射する反射部材が備えられる請求項９または請求項１０記載のパネル外表示機能付き表示装置。
【発明の詳細な説明】
【技術分野】
【０００１】
本発明は、表示装置及びパネル外表示機能付き表示装置に関する。
【背景技術】
【０００２】
従来の表示装置の製造方法の一例として下記特許文献１に記載されたものが知られている。この特許文献１に記載された表示装置では、印刷フィルムは、タッチパネルのガラス基板に貼り付けられるとともに、液晶ディスプレイを構成するベゼルと重なる位置に配置することで、液晶ディスプレイにおいて、実際の表示には寄与しない領域を有効に利用でき、例えば決められた領域内で、より大きなディスプレイを使用できる。
【先行技術文献】
【特許文献】
【０００３】
【特許文献１】特許第５５２６４１７号公報
【発明の概要】
【発明が解決しようとする課題】
【０００４】
ところが、上記した特許文献１に記載された表示装置では、ボタン用光源がベゼルとホルダとの間に挟み込まれた配置となっているため、例えば表示装置の仕様によって印刷フィルムにおけるボタンの配置や設置数などが異なるのに伴ってボタン用光源の品種が複数必要になった場合には、表示装置に組み込まれたボタン用光源を取り替える作業を要したり、表示装置をボタン用光源の品種と同数製造したりすることになり、製造コストが高くなりがちであった。
【０００５】
本発明は上記のような事情に基づいて完成されたものであって、製造コストを低下させることを目的とする。
【課題を解決するための手段】
【０００６】
本発明の表示装置は、画像を表示するパネル表示領域を有する表示パネルと、前記表示パネルを取り囲む形で配される枠状部材であって、前記パネル表示領域の外側にあって前記パネル表示領域での表示とは独立した表示をするパネル外表示部に表示のための光を照射するパネル外照明装置を着脱可能な形で保持する保持構造を有する枠状部材と、を備える。
【０００７】
このように、表示パネルを取り囲む形で配される枠状部材には、パネル表示領域の外側にあってパネル表示領域での表示とは独立した表示をするパネル外表示部に表示のための光を照射するパネル外照明装置を着脱可能な形で保持する保持構造を有しているので、例えばパネル外表示部での表示に応じてパネル外照明装置の品種が複数必要な場合には、複数種のパネル外照明装置の中から選択したパネル外照明装置を枠状部材に保持させればよい。つまり、表示パネル及び枠状部材については、パネル外表示部での表示に拘わらず共通化することができるので、低コスト化を図る上で好適となる。
【０００８】
本発明の表示装置の実施態様として、次の構成が好ましい。
（１）前記枠状部材には、前記パネル外照明装置を収容する収容空間が外部に開口する形で設けられている。このように、枠状部材にパネル外照明装置を収容する収容空間が外部に開口する形で設けられることで、仮にパネル外照明装置が枠状部材の外側に付加される構成を採った場合に比べると、当該表示装置における額縁領域の有効利用を図ることができる。
【０００９】
（２）前記枠状部材は、前記表示パネルの外周端部を表示面側から押さえるパネル押さえ部を少なくとも有しており、前記パネル押さえ部には、前記表示面側とは反対側の面を凹ませることで前記収容空間が設けられている。このようにすれば、表示パネルは、その外周端部が表示面側から枠状部材のパネル押さえ部により押さえられることで保持が図られている。パネル押さえ部には、表示面側とは反対側の面を凹ませることで外部に開口する収容空間が設けられているので、当該表示装置を薄型に保つ上で好適となる。
【００１０】
（３）前記表示パネルの前記外周端部の一部に接続されて前記パネル押さえ部の一部と重畳する形で配されるフレキシブル基板を備えており、前記パネル押さえ部には、前記フレキシブル基板と重畳する部分に前記収容空間が設けられている。表示パネルの外周端部のうちフレキシブル基板が接続された部分は、フレキシブル基板が接続されない部分に比べると幅広になっており、それに伴ってパネル押さえ部のうちフレキシブル基板と重畳する部分も非重畳となる部分よりも幅広になっている。そして、パネル外照明装置を収容する収容空間が、パネル押さえ部のうちのフレキシブル基板と重畳する部分、つまりフレキシブル基板の設置に伴って幅広になった部分を利用して設置されているので、配置効率が優れており、狭額縁化を図る上で好適となる。
【００１１】
（４）前記枠状部材は、前記表示パネルの外周端部を表示面側とは反対側から受けるパネル受け部と、前記パネル受け部に対して外周側に配される外周側枠状部と、を少なくとも有しており、前記外周側枠状部には、側面を凹ませることで前記収容空間が設けられている。このようにすれば、表示パネルは、その外周端部が表示面側とは反対側から枠状部材のパネル受け部により受けられることで保持が図られている。パネル受け部に対して外周側に配される外周側枠状部には、側面を凹ませることで外部に開口する収容空間が設けられているので、当該表示装置を狭額縁に保つ上で好適となる。
【００１２】
（５）前記表示パネルの前記外周端部の一部に接続されて前記パネル受け部及び前記外周側枠状部の一部と重畳する配置となるフレキシブル基板を備えており、前記外周側枠状部には、前記フレキシブル基板とは非重畳となる部分に前記収容空間が設けられている。このようにすれば、外周側枠状部の側面を凹ませて設けられる収容空間における外部への開口範囲がフレキシブル基板によって制限されることが避けられる。これにより、収容空間に対するパネル外照明装置の着脱を容易に行うことができる。
【００１３】
次に、上記課題を解決するために、本発明のパネル外表示機能付き表示装置は、上記記載の表示装置と、前記パネル表示領域の外側にあって前記パネル表示領域での表示とは独立した表示をするパネル外表示部と、前記枠状部材に着脱可能な形で保持されて前記パネル外表示部に表示のための光を照射するパネル外照明装置と、を備える。このような構成のパネル外表示機能付き表示装置によれば、パネル外照明装置から光が照射されることでパネル外表示部には、表示パネルのパネル表示領域での表示とは独立した表示がなされる。従って、仮に表示パネルが故障などにより表示不能となった場合であっても、パネル外表示部では表示パネルとは無関係に表示することが可能となっている。
【００１４】
本発明のパネル外表示機能付き表示装置の実施態様として、次の構成が好ましい。
（１）前記枠状部材には、前記パネル外照明装置を収容する収容空間が外部に開口する形で設けられており、前記パネル外照明装置は、前記収容空間を複数の仕切り空間に仕切る仕切り部と、複数の前記仕切り空間の少なくともいずれか１つに収容される光源と、を少なくとも備える。このようにすれば、光源が収容される仕切り空間は、他の仕切り空間に対して仕切り部によって仕切られているので、光源からの光が他の仕切り空間に漏れることが避けられる。これにより、複数の仕切り空間毎に独立した表示を行うことが可能となる。
【００１５】
（２）前記パネル外照明装置は、前記光源が実装される光源基板と、前記収容空間に収容される仕切り部材であって、複数の前記仕切り部、複数の前記仕切り部を繋ぐ繋ぎ部、及び前記光源が前記仕切り空間に収容された状態で前記光源基板に保持される保持部を有する仕切り部材と、を備える。このようにすれば、仕切り部材は、複数の仕切り部を繋ぎ部により繋いだ構成とされているので、例えばパネル外表示部での表示に応じてパネル外照明装置の品種が複数必要な場合には、複数の仕切り部に係る配置や設置数などの設定が異なる仕切り部材を複数種類用意し、その中から選択した仕切り部材を枠状部材の収容空間に収容すればよい。また、光源が実装された光源基板には、仕切り部材が保持部によって光源が仕切り空間に収容された状態に保持される。
【００１６】
（３）前記パネル外照明装置は、前記光源に、互いに異なる有彩色の光を発する複数の有彩色光源が含まれている。このようにすれば、光源に含まれる複数の有彩色光源は、仕切り部によって仕切られた複数の仕切り空間に収容されるので、隣り合う仕切り空間に収容された各有彩色光源が異なる有彩色の光を発するものであっても、混色が発生することが避けられる。これにより、複数の仕切り空間毎に独立した表示を行うことが可能となる。
【００１７】
（４）前記パネル外照明装置は、前記光源の発光面が、前記枠状部材における前記収容空間の内面と対向するよう配されてなる。仮に光源の発光面がパネル外表示部と対向する配置になると、発光面からの光が直接的にパネル外表示部を通して使用者に視認されるため、光源とその周囲とで明暗の差が大きくなって表示ムラとなるおそれがある。その点、上記のように光源の発光面が、枠状部材における収容空間の内面と対向することで、光源の発光面がパネル外表示部とは非対向の配置となるので、光源の発光面から発せられた光がパネル外表示部に直接的に照射され難くなって、間接的に照射され易くなる。これにより、パネル外表示部において光源とその周囲との間に生じ得る明暗の差が緩和され、表示ムラが生じ難いものとなる。
【００１８】
（５）前記光源が実装される光源基板であって、前記枠状部材のうち前記収容空間の開口が形成された外面に沿って延在する板面に前記光源が実装されていて前記光源の発光面が前記板面とは反対側を向いてなる光源基板を備えている。このようにすれば、光源基板の板厚が当該パネル外表示機能付き表示装置の厚みに影響し難いものとなるので、当該パネル外表示機能付き表示装置の薄型化を図る上で好適となる。
【００１９】
（６）前記枠状部材における前記収容空間の内面に重なる形で設けられて前記光源の光を反射する反射部材が備えられる。このようにすれば、反射部材によって光源の光を反射することで、光をパネル外表示部に効率的に供給することができる。
【発明の効果】
【００２０】
本発明によれば、製造コストを低下させることができる。
【図面の簡単な説明】
【００２１】
【図１】本発明の実施形態１に係るインジケータ表示機能付き液晶表示装置の設置形態を示す側面図
【図２】インジケータ表示機能付き液晶表示装置の表示形態を示す平面図
【図３】インジケータ表示板を取り外した状態のインジケータ表示機能付き液晶表示装置の平面図
【図４】インジケータ表示機能付き液晶表示装置の断面図
【図５】インジケータ用ＬＥＤの設置数を変更したインジケータ用ＬＥＤ基板の側面図
【図６】発光色が異なる２種類のインジケータ用ＬＥＤの設置比率を変更したインジケータ用ＬＥＤ基板の側面図
【図７】インジケータ表示板を取り外した状態のインジケータ表示機能付き液晶表示装置において、インジケータ用ＬＥＤ基板及び仕切り部材を取り付ける前の状態を示す平面図
【図８】インジケータ表示機能付き液晶表示装置において、インジケータ用ＬＥＤ基板及び仕切り部材を取り付ける前の状態を示す断面図
【図９】本発明の実施形態２に係るインジケータ表示板を取り外した状態のインジケータ表示機能付き液晶表示装置の平面図
【図１０】インジケータ表示機能付き液晶表示装置の断面図
【図１１】インジケータ表示板を取り外した状態のインジケータ表示機能付き液晶表示装置において、インジケータ用ＬＥＤ基板及び仕切り部材を取り付ける前の状態を示す平面図
【図１２】インジケータ表示機能付き液晶表示装置において、インジケータ用ＬＥＤ基板及び仕切り部材を取り付ける前の状態を示す断面図
【図１３】本発明の実施形態３に係るインジケータ表示板を取り外した状態のインジケータ表示機能付き液晶表示装置の平面図
【図１４】本発明の実施形態４に係るインジケータ表示板を取り外した状態のインジケータ表示機能付き液晶表示装置の平面図
【図１５】本発明の実施形態５に係るインジケータ表示機能付きルームミラー型液晶表示装置の設置形態を示す側面図
【図１６】インジケータ表示板を取り外した状態のインジケータ表示機能付きルームミラー型液晶表示装置の平面図
【図１７】本発明の実施形態６に係るインジケータ表示機能付き液晶表示装置の平面図
【図１８】本発明の実施形態７に係るインジケータ表示機能付き液晶表示装置の断面図
【図１９】本発明の実施形態８に係るインジケータ表示機能付き液晶表示装置の断面図
【図２０】本発明の実施形態９に係るインジケータ表示機能付き液晶表示装置の断面図
【図２１】本発明の実施形態１０に係るインジケータ表示機能付き液晶表示装置の断面図
【図２２】本発明の実施形態１１に係るベゼルにインジケータ用ＬＥＤ基板及び仕切り部材を取り付ける前の状態を示す断面図
【図２３】ベゼルにインジケータ用ＬＥＤ基板及び仕切り部材を取り付けた状態を示す断面図
【図２４】基板保持部を変形させる前の状態を示す正面図
【図２５】基板保持部を変形させた状態を示す正面図
【図２６】本発明の実施形態１２に係るベゼルにインジケータ用ＬＥＤ基板及び仕切り部材を取り付けた状態を示す平面図
【図２７】ベゼルにインジケータ用ＬＥＤ基板及び仕切り部材を取り付ける前の状態を示す正面図
【図２８】ベゼルにインジケータ用ＬＥＤ基板及び仕切り部材を取り付けた状態を示す正面図
【図２９】本発明の実施形態１３に係るフレームに仕切り部材を取り付けた状態を示す平面図
【図３０】本発明の実施形態１４に係るベゼルに仕切り部材を取り付けた状態を示す断面図
【図３１】本発明の実施形態１５に係るベゼルにインジケータ用ＬＥＤ基板及び仕切り部材を取り付ける前の状態を示す平面図
【図３２】ベゼルにインジケータ用ＬＥＤ基板及び仕切り部材を取り付けた状態を示す平面図
【発明を実施するための形態】
【００２２】
＜実施形態１＞
本発明の実施形態１を図１から図８によって説明する。本実施形態では、自動車に搭載されるインジケータ表示機能付き液晶表示装置（パネル外表示機能付き表示装置）１０について例示する。なお、各図面の一部にはＸ軸、Ｙ軸及びＺ軸を示しており、各軸方向が各図面で示した方向となるように描かれている。また、図４に示す上側を表側とし、同図下側を裏側とする。
【００２３】
本実施形態に係るインジケータ表示機能付き液晶表示装置１０は、図１及び図２に示すように、自動車のダッシュボードＤＢにおける運転席前に設置されていて、各種計器などの表示や各種警告などのインジケータの表示を行うものである。インジケータ表示機能付き液晶表示装置１０は、各種計器、地図情報、車載カメラ映像などの表示を行う液晶表示モジュール（表示装置）１１と、液晶表示モジュール１１の表示に係る照明光を透過するとともに各種警告などのインジケータの表示を行うインジケータ表示板（パネル外表示部）１２と、インジケータ表示板１２にインジケータの表示のための照明光を照射するインジケータ用照明装置（パネル外照明装置）１３と、を少なくとも備える。液晶表示モジュール１１により表示される各種計器には、図２に示すように、例えば速度計（スピードメータ）ＳＭ、回転速度計（タコメータ）ＴＭ、燃料計ＦＭ、水温計ＷＴＭなどが含まれる。インジケータ用照明装置１３の照明光によってインジケータ表示板１２に表示されるインジケータには、例えばエアバッグ警告灯ＡＢＷ、エンジン警告灯ＥＷ、ＡＢＳ警告灯ＡＢＳＷ、ブレーキ警告灯ＢＲＷ、油圧警告灯ＯＰＷ、充電警告灯ＢＴＷ、半ドア警告灯ＮＳＷ、シートベルト非装着警告灯ＳＢＷなどが含まれる。そして、このインジケータ表示機能付き液晶表示装置１０では、液晶表示モジュール１１による表示（パネル表示）と、インジケータ表示板１２による表示（パネル外表示）と、が独立して行われるものとされており、仮に液晶表示モジュール１１に不具合が生じて液晶表示モジュール１１での表示が不能になったとしても、それとは無関係にインジケータ表示板１２での表示を行うことが可能とされている。これにより、自動車の運転に重大な支障を来す可能性を示す警告が運転手に知らされなくなる、といった事態が回避されるようになっている。
【００２４】
液晶表示モジュール１１について先に説明する。液晶表示モジュール１１は、図４に示すように、表側の表示面ＤＳにおけるパネル表示領域ＰＡに各種計器などを表示する液晶パネル（表示パネル）１４と、液晶パネル１４に表示のための照明光を照射するバックライト装置（表示パネル用照明装置）１５と、液晶パネル１４及びバックライト装置１５を収容するケーシング１６と、液晶パネル１４を表側から押さえてケーシング１６との間で液晶パネル１４及びバックライト装置１５を保持するベゼル（枠状部材）１７と、液晶パネル１４を駆動するためのドライバ（パネル駆動部）１８と、一端側が液晶パネル１４に接続されるフレキシブル基板１９と、フレキシブル基板１９の他端側に接続されるコントロール基板２０と、を少なくとも備える。
【００２５】
液晶パネル１４は、図４に示すように、平面に視て横長の方形（矩形状、長手状）をなしており、ほぼ透明な一対のガラス製の基板が所定のギャップを隔てた状態で貼り合わせられ両基板間に液晶が封入された構成とされる。一対の基板１４ａ，１４ｂのうち、裏側に配されるアレイ基板１４ａには、互いに直交するソース配線とゲート配線とに接続されたスイッチング素子（例えばＴＦＴ）と、そのスイッチング素子に接続された画素電極、さらには配向膜等が設けられ、表側に配されるＣＦ基板１４ｂには、Ｒ（赤色），Ｇ（緑色），Ｂ（青色）等の各着色部が所定配列で配置されたカラーフィルタや対向電極、さらには配向膜等が設けられている。このような構成によって液晶パネル１４では、バックライト装置１５から照射される白色光を利用してフルカラー表示を行うことが可能とされる。この液晶パネル１４は、画面中央側にあって画像を表示可能なパネル表示領域ＰＡと、画面外周端側にあってパネル表示領域ＰＡの周りを取り囲む枠状のパネル非表示領域と、に区分されている。アレイ基板１４ａの外周端部のうちの一方の長辺側の端部は、ＣＦ基板１４ｂの同端部よりも外側に突き出していてその突き出し部分にドライバ１８及びフレキシブル基板１９がそれぞれ実装されている。一端側がアレイ基板１４ａに接続されたフレキシブル基板１９は、液晶表示モジュール１１の裏面側（液晶パネル１４の表示面ＤＳ側とは反対側）に折り返されていてバックライト装置１５の裏面に配されたコントロール基板２０に他端側が接続されている。コントロール基板２０からの信号は、フレキシブル基板１９を介してアレイ基板１４ａのドライバ１８に伝送される。ドライバ１８では、入力信号を処理して生成された出力信号をスイッチング素子などに供給してその駆動を制御するものとされる。なお、一対の基板１４ａ，１４ｂの外面側には、表裏一対の偏光板１４ｃがそれぞれ貼り付けられている。
【００２６】
バックライト装置１５は、図４に示すように、表側（光出射側、液晶パネル１４側）に向けて開口する略箱型のシャーシ２１と、シャーシ２１の開口を覆うようにして配される光学部材（光学シート）２２と、を備える。さらに、シャーシ２１内には、液晶パネル１４での表示に利用されるパネル用ＬＥＤ（パネル用光源）２３と、複数のパネル用ＬＥＤ２３が実装されたパネル用ＬＥＤ基板（パネル用光源基板）２４と、パネル用ＬＥＤ２３からの光を導光して光学部材２２（液晶パネル１４）へと導く導光板２５と、が少なくとも備えられる。このバックライト装置１５は、一方の長辺側の端部にパネル用ＬＥＤ基板２４及びパネル用ＬＥＤ２３が配されていることから、片側入光タイプのエッジライト型（サイドライト型）とされている。以下では、バックライト装置１５の各構成部品について詳しく説明する。
【００２７】
シャーシ２１は、図４に示すように、平面形状が液晶パネル１４と同様に横長の方形状をなす底板２１ａと、底板２１ａにおける４辺の各外端から立ち上がる側板２１ｂと、からなる。シャーシ２１の各側板２１ｂのうち、長辺側の一方（図４に示す左側）の側板２１ｂには、パネル用ＬＥＤ基板２４が取り付けられている。光学部材２２は、液晶パネル１４及びシャーシ２１と同様に平面に視て横長の方形状をなしており、導光板２５の表側（光出射側）に載せられていて液晶パネル１４と導光板２５との間に介在して配されることで、導光板２５からの出射光を透過するとともにその透過光に所定の光学作用を付与しつつ液晶パネル１４に向けて出射させる。光学部材２２は、互いに積層される複数枚（本実施形態では３枚）のシート状の部材からなる。具体的な光学部材２２の種類としては、例えば拡散シート、レンズシート、反射型偏光シートなどがあり、これらの中から適宜に選択して使用することが可能である。
【００２８】
パネル用ＬＥＤ２３は、図３及び図４に示すように、パネル用ＬＥＤ基板２４に固着される基板部上にＬＥＤチップを樹脂材により封止した構成とされる。基板部に実装されるＬＥＤチップは、青色の光を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このパネル用ＬＥＤ２３は、パネル用ＬＥＤ基板２４に対する実装面とは反対側の面が発光面２３ａとなる、いわゆる頂面発光型とされている。
【００２９】
パネル用ＬＥＤ基板２４は、図３及び図４に示すように、シャーシ２１の長辺方向に沿って延在する細長い板状をなすとともに、その板面をＸ軸方向及びＺ軸方向に並行した姿勢でシャーシ２１内に収容されている。パネル用ＬＥＤ基板２４は、導光板２５とシャーシ２１における一方の長辺側の側板２１ｂとの間に介在するよう配され、パネル用ＬＥＤ２３が実装された実装面２４ａとは反対側の板面がシャーシ２１における長辺側の側板２１ｂの内面に接する形で取り付けられている。従って、パネル用ＬＥＤ基板２４に実装された各パネル用ＬＥＤ２３の発光面２３ａは、発光面２３ａが後述する導光板２５の長辺側の端面（光入射面２５ｂ）と対向状をなしており、発光面２３ａの法線方向がＹ軸方向と一致している。パネル用ＬＥＤ基板２４の実装面２４ａには、複数のパネル用ＬＥＤ２３がＸ軸方向に沿ってほぼ等間隔に並んで配されている。また、パネル用ＬＥＤ基板２４の実装面２４ａには、各パネル用ＬＥＤ２３を横切りつつＸ軸方向に沿って延在する配線パターン（図示せず）が形成されており、この配線パターンの端部に形成された端子部に対して図示しないＬＥＤ駆動基板が同じく図示しない配線部材などを介して電気的に接続されることで、各パネル用ＬＥＤ２３に駆動電力を供給することが可能とされる。
【００３０】
導光板２５は、屈折率が空気よりも十分に高く且つほぼ透明な合成樹脂材料からなる。導光板２５は、図４に示すように、液晶パネル１４及びシャーシ２１と同様に平面に視て横長の方形状をなすとともに光学部材２２よりも厚みが大きな平板状をなすとともに、シャーシ２１内において液晶パネル１４及び光学部材２２の直下位置に配されており、表側を向いた板面（光学部材２２との対向面）が内部の光を光学部材２２及び液晶パネル１４に向けて出射させる光出射面（出光面）２５ａとなっている。導光板２５は、その外周端面のうちの一方（図４に示す左側）の長辺側の端面がパネル用ＬＥＤ基板２４の各パネル用ＬＥＤ２３と対向状をなしており、ここがパネル用ＬＥＤ２３から発せられた光が入射される光入射面（入光面）２５ｂとなっている。そして、導光板２５は、パネル用ＬＥＤ２３からＹ軸方向に向けて発せられた光を光入射面２５ｂから導入し、その光を内部で伝播させつつ光学部材２２側（表側）へ向くよう立ち上げて光出射面２５ａから出射させる機能を有する。導光板２５における裏側、つまり光出射面２５ａとは反対側の反対板面２５ｃには、その反対板面２５ｃから裏側外部に出射した光を反射して表側へ立ち上げるパネル用反射シート（パネル用反射部材）２６がそのほぼ全域を覆う形で設けられている。また、導光板２５における反対板面２５ｃには、導光板２５内の光を光出射面２５ａに向けて反射させることで光出射面２５ａからの出射を促す光反射パターン（本実施形態では図示を省略する）が形成されている。
【００３１】
上記のような構成の液晶表示モジュール１１を保持するためのケーシング１６及びベゼル１７について説明する。ケーシング１６は、例えば金属製とされていて、図４に示すように、表側に向けて開口した略箱型をなしており、その外形が液晶表示モジュール１１よりも一回り大きなものとされることで、液晶表示モジュール１１の全体を収容可能とされる。ケーシング１６は、横長の方形状をなす底部１６ａと、底部１６ａの外周端から表側に向けて立ち上がる側部１６ｂと、からなる。
【００３２】
ベゼル１７は、例えば金属製とされていて、全体として液晶パネル１４の外周端部を取り囲む横長の方形の枠状をなしている。ベゼル１７は、液晶パネル１４の外周端部を表側から押さえる枠状のパネル押さえ部１７ａと、パネル押さえ部１７ａの外周端からＺ軸方向に沿って裏側に向けて突出する短筒状の外周側枠状部１７ｂと、からなる。パネル押さえ部１７ａは、液晶パネル１４の表示面ＤＳのうち、画像が表示されるパネル表示領域ＰＡを取り囲んでおり、画像が表示されないパネル非表示領域（外周端部）に対してほぼ全域にわたって表側に重なり合う形で配されている。外周側枠状部１７ｂは、ケーシング１６の側部１６ｂに対して外側に重ねられるとともに、側部１６ｂに対して固定されている。これにより、液晶表示モジュール１１をケーシング１６とベゼル１７との間で挟み込んで保持している。
【００３３】
インジケータ表示板１２は、図４に示すように、ベゼル１７のパネル押さえ部１７ａに対して表側に配されており、液晶表示モジュール１１との間でパネル押さえ部１７ａを挟み込む位置関係とされている。インジケータ表示板１２は、液晶表示モジュール１１及びベゼル１７の外形に倣う横長の方形状をなしていて、液晶表示モジュール１１及びベゼル１７の全体を表側から覆うような大きさを有している。インジケータ表示板１２は、ほぼ透明な基材の表面に対して部分的に遮光部１２ａを印刷してなる。インジケータ表示板１２のうち、液晶表示モジュール１１における液晶パネル１４のパネル表示領域ＰＡと重畳する部分には、全域にわたって遮光部１２ａが形成されていないものの、液晶パネル１４のパネル非表示領域と重畳する部分には、平面に視て横長の略枠状の遮光部１２ａが形成されている。これにより、液晶表示モジュール１１での表示がインジケータ表示板１２を通して使用者（運転手）に視認されるようになっている。
【００３４】
そして、インジケータ表示板１２のうち、液晶パネル１４のパネル表示領域ＰＡに対してＹ軸方向について所定の間隔（パネル非表示領域の額縁幅分の間隔）を空けて隣り合う位置には、図３に示すように、インジケータを表示するためのインジケータ表示領域（パネル外表示部）ＩＡが設定されている。インジケータ表示板１２のインジケータ表示領域ＩＡには、遮光部１２ａがインジケータの意匠に応じて部分的に形成されている。具体的には、インジケータ表示板１２のインジケータ表示領域ＩＡにおける遮光部１２ａは、図２に示されるインジケータ（エアバッグ警告灯ＡＢＷ、エンジン警告灯ＥＷ、ＡＢＳ警告灯ＡＢＳＷ、ブレーキ警告灯ＢＲＷ、油圧警告灯ＯＰＷ、充電警告灯ＢＴＷ、半ドア警告灯ＮＳＷ、シートベルト非装着警告灯ＳＢＷなど）の各意匠と重畳する部分が除去されていてその除去された開口部をインジケータ用照明装置１３の照明光が透過することで、インジケータの表示が使用者に視認されるようになっている。従って、インジケータの表示に係る表示色は、インジケータ用照明装置１３の照明光に係る色味が直接反映されるようになっている。
【００３５】
インジケータ用照明装置１３は、図３及び図４に示すように、インジケータの表示に利用されるインジケータ用ＬＥＤ（パネル外光源）２７と、インジケータ用ＬＥＤ２７が実装されたインジケータ用ＬＥＤ基板（パネル外光源基板）２８と、を少なくとも備える。このインジケータ用照明装置１３では、インジケータ用ＬＥＤ２７がインジケータ表示板１２のインジケータ表示領域ＩＡに表示されるインジケータと同数（本実施形態では８個）備えられており、各インジケータ用ＬＥＤ２７の発光色が各インジケータの表示色と一致するものとされる。具体的には、インジケータのうち、エアバッグ警告灯ＡＢＷ、エンジン警告灯ＥＷ及びＡＢＳ警告灯ＡＢＳＷは、黄色または橙色の表示色とされているので、これらに照明光を照射する３つのインジケータ用ＬＥＤ２７は、黄色または橙色の発光色とされる。これに対し、インジケータのうち、ブレーキ警告灯ＢＲＷ、油圧警告灯ＯＰＷ、充電警告灯ＢＴＷ、半ドア警告灯ＮＳＷ及びシートベルト非装着警告灯ＳＢＷは、赤色の表示色とされているので、これらに照明光を照射する５つのインジケータ用ＬＥＤ２７は、赤色の発光色とされる。このように、インジケータ用ＬＥＤ２７の発光色は、パネル用ＬＥＤ２３のような無彩色ではなく、インジケータの表示色に対応付けられた有彩色とされる。つまり、インジケータ用ＬＥＤ２７は、発光色が有彩色の有彩色光源である、と言える。
【００３６】
インジケータ用ＬＥＤ２７は、図３及び図４に示すように、インジケータ用ＬＥＤ基板２８に固着される基板部上にＬＥＤチップを樹脂材により封止した構成とされる。インジケータ用ＬＥＤ２７を構成するＬＥＤチップには、赤色の光を発光するものや黄色の光または橙色の光を発光するものが用いられている。ＬＥＤチップを封止する樹脂材には、ＬＥＤチップから発せられた光をそのまま透過するほぼ透明なものが用いられている。このインジケータ用ＬＥＤ２７は、インジケータ用ＬＥＤ基板２８に対する実装面とは反対側の面が発光面２７ａとなる、いわゆる頂面発光型とされる。なお、図３では、赤色の光を発するインジケータ用ＬＥＤ２７を網掛け状にして図示しており、網掛け状とはなっておらず白抜きに図示されたものが黄色の光または橙色の光を発するインジケータ用ＬＥＤ２７とされる。
【００３７】
インジケータ用ＬＥＤ基板２８は、図３及び図４に示すように、ベゼル１７の長辺方向（Ｘ軸方向）に沿って延在する板状をなしており、その板面がベゼル１７の外周側枠状部１７ｂにおける長辺部分の外面に接する形で配置されている。つまり、インジケータ用ＬＥＤ基板２８は、液晶表示モジュール１１の液晶パネル１４を取り囲んで保持する枠状部材（保持部材）であるベゼル１７に対して外装される形で取り付けられており、その着脱方向がＹ軸方向と一致している。これにより、インジケータ用ＬＥＤ基板２８の板厚がインジケータ表示機能付き液晶表示装置１０の厚みに影響し難いものとなるので、インジケータ表示機能付き液晶表示装置１０の薄型化を図る上で好適となる。ベゼル１７の外周側枠状部１７ｂにおける長辺部分とインジケータ用ＬＥＤ基板２８との間には、インジケータ用ＬＥＤ基板２８をベゼル１７に対して着脱可能な形で保持するための基板保持材（保持構造）ＢＨが介設されている。基板保持材ＢＨは、基材と、その表裏両面に塗布される粘着材と、から構成される、いわゆる両面テープであって、インジケータ用ＬＥＤ基板２８とベゼル１７とにそれぞれ固着されることで、インジケータ用ＬＥＤ基板２８をベゼル１７に対して取付状態に保持することができる。基板保持材ＢＨにより保持されたインジケータ用ＬＥＤ基板２８に所定以上の剥離力を作用させることで、インジケータ用ＬＥＤ基板２８をベゼル１７から取り外すことが可能とされている。また、ベゼル１７の外周側枠状部１７ｂにおける長辺部分には、基板位置決め突部１７ｂ１が外面からＹ軸方向に沿って外側に向けて突き出す形で設けられているのに対し、インジケータ用ＬＥＤ基板２８には、基板位置決め突部１７ｂ１を受け入れる位置決め孔２８ｂが貫通形成されている。基板位置決め突部１７ｂ１が位置決め孔２８ｂに挿入されることで、ベゼル１７に対するインジケータ用ＬＥＤ基板２８の位置決めが図られている（図４及び図８を参照）。インジケータ用ＬＥＤ２７は、その発光面２７ａの法線方向がＹ軸方向（液晶パネル１４の表示面ＤＳの板面の法線方向と直交する方向）と一致している。このインジケータ用ＬＥＤ基板２８は、パネル用ＬＥＤ基板２４が接続されるＬＥＤ駆動基板とは異なるＬＥＤ駆動基板に接続されており、それによりパネル用ＬＥＤ基板２４とは独立した経路でもって電源供給がなされている。これにより、パネル用ＬＥＤ基板２４のパネル用ＬＥＤ２３が点灯不能になった場合でも、それとは無関係にインジケータ用ＬＥＤ基板２８のインジケータ用ＬＥＤ２７については点灯が可能となっている。なお、インジケータ用ＬＥＤ基板２８におけるその他の構成（実装面２８ａなど）は、既述したパネル用ＬＥＤ基板２４と同様である。
【００３８】
そして、ベゼル１７には、図３及び図４に示すように、インジケータ用照明装置１３を構成するインジケータ用ＬＥＤ基板２８に実装されたインジケータ用ＬＥＤ２７を収容する収容空間２９が外部に開口する形で設けられている。このように、ベゼル１７の収容空間２９にインジケータ用照明装置１３の一部が収容されるので、従来のようにインジケータ用照明装置がベゼルの外周側に付加される構成を採った場合に比べると、液晶表示モジュール１１における額縁領域の有効利用を図ることができる。しかも、例えば自動車の車種やグレードなどの違いによってインジケータ表示板１２でのインジケータの表示内容が異なり、それに伴ってインジケータ用照明装置１３としてインジケータ用ＬＥＤ２７の数、発光色、配置などが異なるものを複数種類用意する場合があるが、その場合でも複数種のインジケータ用照明装置１３の中から選択した１つのインジケータ用照明装置１３をベゼル１７の収容空間２９に収容すればよい。つまり、液晶表示モジュール１１を構成する液晶パネル１４及びベゼル１７については、インジケータ表示板１２でのインジケータの表示内容に拘わらず共通化することができるので、低コスト化を図る上で好適となる。具体的には、インジケータ表示板１２のインジケータ表示領域ＩＡにおけるインジケータの数が６個となる表示内容であれば、図５に示すように、その表示内容（仕様）に適合するようインジケータ用ＬＥＤ２７が６個のインジケータ用ＬＥＤ基板２８を、ベゼル１７に対して組み付けて各インジケータ用ＬＥＤ２７を収容空間２９に収容すればよい。その他には、インジケータ表示板１２のインジケータ表示領域ＩＡにおけるインジケータの数が８個で且つ発光色が赤色のインジケータの数と黄色または橙色のインジケータの数とが４個ずつとなる表示内容であれば、図６に示すように、その表示内容に適合するよう発光色が赤色のインジケータ用ＬＥＤ２７が４個、黄色または橙色のインジケータ用ＬＥＤ２７が４個、それぞれ実装されたインジケータ用ＬＥＤ基板２８を、ベゼル１７に対して組み付けて各インジケータ用ＬＥＤ２７を収容空間２９に収容すればよい。
【００３９】
収容空間２９は、図４に示すように、ベゼル１７のうち液晶パネル１４を表示面ＤＳ側から押さえるパネル押さえ部１７ａにおいて表示面ＤＳ側とは反対側の面、つまり外面（表側の面）を部分的に凹ませることで設けられている。このようにすれば、仮にインジケータ用照明装置がベゼル１７のパネル押さえ部１７ａにおける表側の面に対して表側に重なる形で配された場合に比べると、液晶表示モジュール１１を薄型に保つことができる。さらには、収容空間２９は、パネル押さえ部１７ａのうち、液晶パネル１４に接続されたフレキシブル基板１９と重畳する部分に設けられている。詳しくは、パネル押さえ部１７ａのうち、フレキシブル基板１９と重畳する長辺部分は、その幅方向（Ｙ軸方向）について内端部を除いた外側部分であり且つ長さ方向（Ｘ軸方向）について両端部を除いたほぼ全域が裏側（液晶パネル１４側）に凹むよう形成されることで、収容空間２９を有している。ここで、液晶パネル１４の外周端部のうちフレキシブル基板１９が接続された部分は、フレキシブル基板１９が接続されない部分に比べると幅広になっており、それに伴ってパネル押さえ部１７ａのうちフレキシブル基板１９と重畳する部分も非重畳となる部分よりも幅広になっている。そして、インジケータ用照明装置１３のインジケータ用ＬＥＤ２７を収容する収容空間２９が、パネル押さえ部１７ａのうちのフレキシブル基板１９と重畳する部分、つまりフレキシブル基板１９の設置に伴って幅広になった部分を利用して設置されているので、配置効率が優れており、狭額縁化を図る上で好適となる。
【００４０】
インジケータ用照明装置１３は、図７及び図８に示すように、インジケータ用ＬＥＤ２７及びインジケータ用ＬＥＤ基板２８に加えて、収容空間２９を複数の仕切り空間２９ａに仕切る複数の仕切り部３０ａを有する仕切り部材３０と、インジケータ用ＬＥＤ２７から発せられた光を反射するインジケータ用反射シート（反射部材）３１と、を備える。このような構成によれば、インジケータ用ＬＥＤ２７が収容される仕切り空間２９ａは、他の仕切り空間２９ａに対して仕切り部３０ａによって仕切られているので、インジケータ用ＬＥＤ２７からの光が他の仕切り空間２９ａに漏れることが避けられる。これにより、複数の仕切り空間２９ａ毎に独立したインジケータの表示を行うことが可能となっている。また、インジケータ用ＬＥＤ２７は、互いに異なる有彩色の光（具体的には赤色の光と黄色の光または橙色の光）を発するものとされているが、上記のように収容空間２９が仕切り部３０ａにより複数の仕切り空間２９ａに仕切られているので、混色が発生することが避けられている。これにより、複数の仕切り空間２９ａ毎に独立したインジケータの表示を的確に行うことが可能となっている。
【００４１】
仕切り部材３０は、図７及び図８に示すように、複数の仕切り部３０ａと、隣り合う仕切り部３０ａを繋ぐ繋ぎ部３０ｂと、インジケータ用ＬＥＤ２７が仕切り空間２９ａに収容された状態にインジケータ用ＬＥＤ基板２８に保持される保持部（保持構造）３０ｃと、を有する。仕切り部３０ａは、インジケータ用ＬＥＤ２７の並び方向であるＸ軸方向と直交する（Ｙ軸方向及びＺ軸方向に並行する）板面を有する板状をなしている。仕切り部３０ａは、互いの板面が並行する姿勢でもってＸ軸方向についてほぼ一定の間隔を空けて並んで配されており、その設置数がインジケータ用ＬＥＤ２７の設置数に１を足した値（具体的には９個）とされる。繋ぎ部３０ｂは、インジケータ用ＬＥＤ２７及び仕切り部３０ａの並び方向であるＸ軸方向に沿って延在して全ての仕切り部３０ａにおける裏側の端部にそれぞれ連ねられている。これにより、繋ぎ部３０ｂ及び各仕切り部３０ａによって区画される各仕切り空間２９ａが、Ｚ軸方向について表側に向けて開口するとともにＹ軸方向についてベゼル１７の外側に向けて開口する状態となっている。繋ぎ部３０ｂは、パネル押さえ部１７ａのうちフレキシブル基板１９と重畳する長辺部分に倣う断面形状を有しており、そのＹ軸方向についての内端部が湾曲した断面形状となっている。保持部３０ｃは、Ｘ軸方向についての両端に位置する一対の仕切り部３０ａからＹ軸方向について外側に突出する爪状をなしており、インジケータ用ＬＥＤ基板２８における長さ方向（Ｘ軸方向）についての両端部に対して外側から係止するものとされる。仕切り部材３０は、一対の保持部３０ｃがインジケータ用ＬＥＤ基板２８に係止されることで、基板保持材ＢＨによってベゼル１７に固定されるインジケータ用ＬＥＤ基板２８に対する保持が図られている。
【００４２】
以上のように、仕切り部材３０は、図７及び図８に示すように、複数の仕切り部３０ａを繋ぎ部３０ｂにより繋いだ構成とされているので、例えば自動車の車種やグレードなどの違いによってインジケータ表示板１２でのインジケータの表示内容が異なり、それに伴って仕切り部材３０として複数の仕切り部３０ａに係る配置や設置数などの設定が異なるものを複数種類用意する場合があるが、その場合でも複数種の仕切り部材３０の中から選択した１つの仕切り部材３０をベゼル１７の収容空間２９に収容すればよい。また、インジケータ用ＬＥＤ２７が実装されたインジケータ用ＬＥＤ基板２８には、仕切り部材３０が保持部３０ｃによってインジケータ用ＬＥＤ２７が仕切り空間２９ａに収容された状態に保持される。
【００４３】
インジケータ用反射シート３１は、図８に示すように、収容空間２９を構成する各仕切り空間２９ａの内面にそれぞれ重なる形で設けられている。インジケータ用反射シート３１は、各仕切り空間２９ａを区画する繋ぎ部３０ｂの内面に沿って配されている。これに対し、各仕切り空間２９ａに収容された各インジケータ用ＬＥＤ２７は、その発光面２７ａが各仕切り空間２９ａの内面、つまりインジケータ用反射シート３１と対向するよう配されている。従って、インジケータ用ＬＥＤ２７の発光面２７ａから発せられた光は、インジケータ用反射シート３１により反射されるなどしてＺ軸方向について表側へ向けて進行し、インジケータ表示板１２の遮光部１２ａにおける開口部を透過することで、インジケータの表示に供されるものとなっている。このように、インジケータ用ＬＥＤ２７からの光が直接的にインジケータ表示板１２に照射されることが避けられているので、インジケータの表示に明暗のムラが生じ難いものとなっている。
【００４４】
以上説明したように本実施形態の液晶表示モジュール（表示装置）１１は、画像を表示するパネル表示領域ＰＡを有する液晶パネル（表示パネル）１４と、液晶パネル１４を取り囲む形で配されるベゼル（枠状部材）１７であって、パネル表示領域ＰＡの外側にあってパネル表示領域ＰＡでの表示とは独立した表示をするインジケータ表示領域（パネル外表示部）ＩＡに表示のための光を照射するインジケータ用照明装置（パネル外照明装置）１３を着脱可能な形で保持する保持構造である基板保持材ＢＨ及び保持部３０ｃを有するベゼル１７と、を備える。
【００４５】
このように、液晶パネル１４を取り囲む形で配されるベゼル１７には、パネル表示領域ＰＡの外側にあってパネル表示領域ＰＡでの表示とは独立した表示をするインジケータ表示領域ＩＡに表示のための光を照射するインジケータ用照明装置１３を着脱可能な形で保持する保持構造である基板保持材ＢＨ及び保持部３０ｃを有しているので、例えばインジケータ表示領域ＩＡでの表示に応じてインジケータ用照明装置１３の品種が複数必要な場合には、複数種のインジケータ用照明装置１３の中から選択したインジケータ用照明装置１３をベゼル１７に保持させればよい。つまり、液晶パネル１４及びベゼル１７については、インジケータ表示領域ＩＡでの表示に拘わらず共通化することができるので、低コスト化を図る上で好適となる。
【００４６】
また、ベゼル１７には、インジケータ用照明装置１３を収容する収容空間２９が外部に開口する形で設けられている。このように、ベゼル１７にインジケータ用照明装置１３を収容する収容空間２９が外部に開口する形で設けられることで、仮にインジケータ用照明装置がベゼルの外側に付加される構成を採った場合に比べると、当該液晶表示モジュール１１における額縁領域の有効利用を図ることができる。
【００４７】
また、ベゼル１７は、液晶パネル１４の外周端部を表示面ＤＳ側から押さえるパネル押さえ部１７ａを少なくとも有しており、パネル押さえ部１７ａには、表示面ＤＳ側とは反対側の面を凹ませることで収容空間２９が設けられている。このようにすれば、液晶パネル１４は、その外周端部が表示面ＤＳ側からベゼル１７のパネル押さえ部１７ａにより押さえられることで保持が図られている。パネル押さえ部１７ａには、表示面ＤＳ側とは反対側の面を凹ませることで外部に開口する収容空間２９が設けられているので、当該液晶表示モジュール１１を薄型に保つ上で好適となる。
【００４８】
また、液晶パネル１４の外周端部の一部に接続されてパネル押さえ部１７ａの一部と重畳する形で配されるフレキシブル基板１９を備えており、パネル押さえ部１７ａには、フレキシブル基板１９と重畳する部分に収容空間２９が設けられている。液晶パネル１４の外周端部のうちフレキシブル基板１９が接続された部分は、フレキシブル基板１９が接続されない部分に比べると幅広になっており、それに伴ってパネル押さえ部１７ａのうちフレキシブル基板１９と重畳する部分も非重畳となる部分よりも幅広になっている。そして、インジケータ用照明装置１３を収容する収容空間２９が、パネル押さえ部１７ａのうちのフレキシブル基板１９と重畳する部分、つまりフレキシブル基板１９の設置に伴って幅広になった部分を利用して設置されているので、配置効率が優れており、狭額縁化を図る上で好適となる。
【００４９】
一方、本実施形態のインジケータ表示機能付き液晶表示装置（パネル外表示機能付き表示装置）１０は、上記記載の液晶表示モジュール１１と、パネル表示領域ＰＡの外側にあってパネル表示領域ＰＡでの表示とは独立した表示をするインジケータ表示領域ＩＡを有するインジケータ表示板１２と、ベゼル１７に着脱可能な形で保持されてインジケータ表示領域ＩＡに表示のための光を照射するインジケータ用照明装置１３と、を備える。
【００５０】
このような構成のインジケータ表示機能付き液晶表示装置１０によれば、インジケータ用照明装置１３から光が照射されることでインジケータ表示領域ＩＡには、液晶パネル１４のパネル表示領域ＰＡでの表示とは独立した表示がなされる。従って、仮に液晶パネル１４が故障などにより表示不能となった場合であっても、インジケータ表示領域ＩＡでは液晶パネル１４とは無関係に表示することが可能となっている。
【００５１】
また、ベゼル１７には、インジケータ用照明装置１３を収容する収容空間２９が外部に開口する形で設けられており、インジケータ用照明装置１３は、収容空間２９を複数の仕切り空間２９ａに仕切る仕切り部３０ａと、複数の仕切り空間２９ａの少なくともいずれか１つに収容されるインジケータ用ＬＥＤ（光源）２７と、を少なくとも備える。このようにすれば、インジケータ用ＬＥＤ２７が収容される仕切り空間２９ａは、他の仕切り空間２９ａに対して仕切り部３０ａによって仕切られているので、インジケータ用ＬＥＤ２７からの光が他の仕切り空間２９ａに漏れることが避けられる。これにより、複数の仕切り空間２９ａ毎に独立した表示を行うことが可能となる。
【００５２】
また、インジケータ用照明装置１３は、インジケータ用ＬＥＤ２７が実装されるインジケータ用ＬＥＤ基板（光源基板）２８と、収容空間２９に収容される仕切り部材３０であって、複数の仕切り部３０ａ、複数の仕切り部３０ａを繋ぐ繋ぎ部３０ｂ、及びインジケータ用ＬＥＤ２７が仕切り空間２９ａに収容された状態でインジケータ用ＬＥＤ基板２８に保持される保持部３０ｃを有する仕切り部材３０と、を備える。このようにすれば、仕切り部材３０は、複数の仕切り部３０ａを繋ぎ部３０ｂにより繋いだ構成とされているので、例えばインジケータ表示領域ＩＡでの表示に応じてインジケータ用照明装置１３の品種が複数必要な場合には、複数の仕切り部３０ａに係る配置や設置数などの設定が異なる仕切り部材３０を複数種類用意し、その中から選択した仕切り部材３０をベゼル１７の収容空間２９に収容すればよい。また、インジケータ用ＬＥＤ２７が実装されたインジケータ用ＬＥＤ基板２８には、仕切り部材３０が保持部３０ｃによってインジケータ用ＬＥＤ２７が仕切り空間２９ａに収容された状態に保持される。
【００５３】
また、インジケータ用照明装置１３は、インジケータ用ＬＥＤ２７に、互いに異なる有彩色の光を発する複数の有彩色光源が含まれている。このようにすれば、インジケータ用ＬＥＤ２７に含まれる複数の有彩色光源は、仕切り部３０ａによって仕切られた複数の仕切り空間２９ａに収容されるので、隣り合う仕切り空間２９ａに収容された各有彩色光源が異なる有彩色の光を発するものであっても、混色が発生することが避けられる。これにより、複数の仕切り空間２９ａ毎に独立した表示を行うことが可能となる。
【００５４】
また、インジケータ用照明装置１３は、インジケータ用ＬＥＤ２７の発光面２７ａが、ベゼル１７における収容空間２９の内面と対向するよう配されてなる。仮にインジケータ用ＬＥＤの発光面がインジケータ表示板１２と対向する配置になると、発光面からの光が直接的にインジケータ表示板１２を通して使用者に視認されるため、インジケータ用ＬＥＤとその周囲とで明暗の差が大きくなって表示ムラとなるおそれがある。その点、上記のようにインジケータ用ＬＥＤ２７の発光面２７ａが、ベゼル１７における収容空間２９の内面と対向することで、インジケータ用ＬＥＤ２７の発光面２７ａがインジケータ表示板１２とは非対向の配置となるので、インジケータ用ＬＥＤ２７の発光面２７ａから発せられた光がインジケータ表示板１２のインジケータ表示領域ＩＡに直接的に照射され難くなって、間接的に照射され易くなる。これにより、インジケータ表示領域ＩＡにおいてインジケータ用ＬＥＤ２７とその周囲との間に生じ得る明暗の差が緩和され、表示ムラが生じ難いものとなる。
【００５５】
また、インジケータ用ＬＥＤ２７が実装されるインジケータ用ＬＥＤ基板２８であって、ベゼル１７のうち収容空間２９の開口が形成された外面に沿って延在する板面にインジケータ用ＬＥＤ２７が実装されていてインジケータ用ＬＥＤ２７の発光面２７ａが板面とは反対側を向いてなるインジケータ用ＬＥＤ基板２８を備えている。このようにすれば、インジケータ用ＬＥＤ基板２８の板厚が当該インジケータ表示機能付き液晶表示装置１０の厚みに影響し難いものとなるので、当該インジケータ表示機能付き液晶表示装置１０の薄型化を図る上で好適となる。
【００５６】
また、ベゼル１７における収容空間２９の内面に重なる形で設けられてインジケータ用ＬＥＤ２７の光を反射するインジケータ用反射シート（反射部材）３１が備えられる。このようにすれば、インジケータ用反射シート３１によってインジケータ用ＬＥＤ２７の光を反射することで、光をインジケータ表示領域ＩＡに効率的に供給することができる。
【００５７】
＜実施形態２＞
本発明の実施形態２を図９から図１２によって説明する。この実施形態２では、液晶表示モジュール１１１及びインジケータ用照明装置１１３の構成を変更したものを示す。なお、上記した実施形態１と同様の構造、作用及び効果について重複する説明は省略する。
【００５８】
本実施形態に係る液晶表示モジュール１１１は、図９に示すように、上記した実施形態１に記載したベゼル１７（図４を参照）が省略されるとともに、液晶パネル１１４の外周端部を表側から押さえるフレーム（枠状部材）３２が備えられている。フレーム３２によって裏側から支持される液晶パネル１１４には、その表側にインジケータ表示板１１２が全域にわたって重なる形で貼り付けられている。
【００５９】
フレーム３２は、図９に示すように、液晶パネル１１４の外周端部に倣って横長の方形の枠状をなしている。フレーム３２は、液晶パネル１１４の外周端部を裏側から受ける枠状のパネル受け部３２ａと、パネル受け部３２ａの外周端からＺ軸方向に沿って表側及び裏側に向けてそれぞれ突出する短筒状の外周側枠状部３２ｂと、からなる。パネル受け部３２ａは、液晶パネル１１４の表示面ＤＳのうち、画像が表示されるパネル表示領域ＰＡを取り囲んでおり、画像が表示されないパネル非表示領域（外周端部）に対してほぼ全域にわたって裏側に重なり合う形で配されている。パネル受け部３２ａは、図１０に示すように、Ｚ軸方向について液晶パネル１１４と光学部材１２２との間に介在する形で配されており、光学部材１２２及び導光板１２５の外周端部を表側から押さえるものとされる。外周側枠状部３２ｂは、図９に示すように、液晶パネル１１４、光学部材１２２、導光板１２５及びシャーシ１２１を全周にわたって取り囲む形で配されている。外周側枠状部３２ｂのうち、一方の長辺部分の内面には、図１０に示すように、パネル用ＬＥＤ１２３が実装されたパネル用ＬＥＤ基板１２４が取り付けられている。なお、本実施形態に係るシャーシ１２１は、底板１２１ａを有しているものの、実施形態１のような側板２１ｂを有していない。
【００６０】
そして、フレーム３２のうち外周側枠状部３２ｂには、図１１及び図１２に示すように、側面を凹ませることでインジケータ用照明装置１１３を構成するインジケータ用ＬＥＤ１２７を収容する収容空間１２９が設けられている。このように、フレーム３２の収容空間１２９にインジケータ用照明装置１１３の一部が収容されるので、従来のようにインジケータ用照明装置がフレームの外周側に付加される構成を採った場合に比べると、液晶表示モジュール１１１を狭額縁に保つ上で好適となる。フレーム３２の収容空間１２９には、収容空間１２９を複数の仕切り空間１２９ａに仕切る複数の仕切り部１３０ａを有する仕切り部材１３０が取り付けられている。仕切り部材１３０の具体的な構成は、上記した実施形態１と同様であり、複数の仕切り部１３０ａを繋ぐ繋ぎ部１３０ｂと、インジケータ用ＬＥＤ基板１２８に保持される保持部１３０ｃと、を有している。複数の仕切り部１３０ａによって仕切られた各仕切り空間１２９ａは、Ｚ軸方向について表側に向けて開口するとともにＹ軸方向についてフレーム３２の外側に向けて開口する状態となっている。この仕切り部材１３０の繋ぎ部１３０ｂとフレーム３２の外周側枠状部３２ｂにおける収容空間２９の内面との間には、仕切り部材１３０をフレーム３２に対して着脱可能な形で保持するための仕切り部材保持材（保持構造）ＤＨが介設されている。仕切り部材保持材ＤＨは、基材と、その表裏両面に塗布される粘着材と、から構成される、いわゆる両面テープであって、仕切り部材１３０とフレーム３２とにそれぞれ固着されることで、仕切り部材１３０をフレーム３２に対して取付状態に保持することができる。仕切り部材保持材ＤＨにより保持された仕切り部材１３０に所定以上の剥離力を作用させることで、仕切り部材１３０をフレーム３２から取り外すことが可能とされている。フレーム３２の外周側枠状部３２ｂにおける収容空間１２９は、パネル受け部３２ａのうちのフレキシブル基板１１９とは非重畳となる部分に設けられている。このようにすれば、外周側枠状部３２ｂの側面を凹ませて設けられる収容空間１２９における外部への開口範囲がフレキシブル基板１１９によって制限されることが避けられる。これにより、収容空間１２９に対するインジケータ用照明装置１１３の着脱を容易に行うことができる。
【００６１】
以上説明したように本実施形態によれば、フレーム（枠状部材）３２は、液晶パネル１１４の外周端部を表示面ＤＳ側とは反対側から受けるパネル受け部３２ａと、パネル受け部３２ａに対して外周側に配される外周側枠状部３２ｂと、を少なくとも有しており、外周側枠状部３２ｂには、側面を凹ませることで収容空間１２９が設けられている。このようにすれば、液晶パネル１１４は、その外周端部が表示面ＤＳ側とは反対側からフレーム３２のパネル受け部３２ａにより受けられることで保持が図られている。パネル受け部３２ａに対して外周側に配される外周側枠状部３２ｂには、側面を凹ませることで外部に開口する収容空間１２９が設けられているので、当該液晶表示モジュール１１１を狭額縁に保つ上で好適となる。
【００６２】
また、液晶パネル１１４の外周端部の一部に接続されてパネル受け部３２ａ及び外周側枠状部３２ｂの一部と重畳する配置となるフレキシブル基板１１９を備えており、外周側枠状部３２ｂには、フレキシブル基板１１９とは非重畳となる部分に収容空間１２９が設けられている。このようにすれば、外周側枠状部３２ｂの側面を凹ませて設けられる収容空間１２９における外部への開口範囲がフレキシブル基板１１９によって制限されることが避けられる。これにより、収容空間１２９に対するインジケータ用照明装置１１３の着脱を容易に行うことができる。
【００６３】
＜実施形態３＞
本発明の実施形態３を図１３によって説明する。この実施形態３では、上記した実施形態１から液晶表示モジュール２１１の外形を変更したものを示す。なお、上記した実施形態１と同様の構造、作用及び効果について重複する説明は省略する。
【００６４】
本実施形態に係る液晶表示モジュール２１１は、図１３に示すように、外形の一部が曲線状をなしている。具体的には、液晶表示モジュール２１１のうち、インジケータ用照明装置２１３側とは反対側（図１３に示す上側）の両角部がそれぞれ丸められており、全体として平面形状が略蒲鉾型をなしている。インジケータ表示機能付き液晶表示装置２１０の設置環境、つまり図示しないダッシュボードの設計によっては、上記のような外形の液晶表示モジュール２１１を用いるのが好ましい場合もある。なお、図１３では、液晶パネル２１４のパネル表示領域ＰＡに、速度計（スピードメータ）ＳＭと回転速度計（タコメータ）ＴＭの各外形を一点鎖線にて図示している。
【００６５】
＜実施形態４＞
本発明の実施形態４を図１４によって説明する。この実施形態４では、上記した実施形態３からインジケータ用照明装置３１３の配置と液晶表示モジュール３１１の外形をそれぞれ変更したものを示す。なお、上記した実施形態３と同様の構造、作用及び効果について重複する説明は省略する。
【００６６】
本実施形態に係るインジケータ用照明装置３１３は、図１４に示すように、液晶表示モジュール３１１における同図上側の長辺部に配置されている。これに伴い、図示しないフレキシブル基板についても液晶パネル３１４の外周端部のうち、同図上側の端部に接続されており、フレキシブル基板とインジケータ用照明装置３１３とが重畳する位置関係とされる。そして、液晶表示モジュール３１１は、インジケータ用照明装置３１３側とは反対側（図１４に示す下側）の両角部及び長辺部がそれぞれ曲線状をなしている。特に、液晶表示モジュール３１１におけるインジケータ用照明装置３１３側とは反対側の長辺部は、弓形に凹むような平面形状を有している。このような構成は、例えばインジケータ表示機能付き液晶表示装置３１０に対して図１４に示す下側にハンドル軸ＨＡが配置される場合に、インジケータ表示機能付き液晶表示装置３１０とハンドル軸ＨＡとの干渉を避ける上で好適である。なお、図１４では、ハンドル軸ＨＡの外形を二点鎖線により図示している。
【００６７】
＜実施形態５＞
本発明の実施形態５を図１５または図１６によって説明する。この実施形態５では、上記した実施形態１に記載したインジケータ表示機能付き液晶表示装置１０に係る構成を、インジケータ表示機能付きルームミラー型液晶表示装置４０に適用した場合を示す。なお、上記した実施形態１と同様の構造、作用及び効果について重複する説明は省略する。
【００６８】
本実施形態に係るインジケータ表示機能付きルームミラー型液晶表示装置（パネル外表示機能付き表示装置）４０は、図１５に示すように、自動車の最前席における天井ＣＥに取り付けられている。インジケータ表示機能付きルームミラー型液晶表示装置４０に備えられる液晶表示モジュール４１１は、液晶パネル４１４に加えて図示しない鏡面反射部を内蔵することで、自動車の後部に設置された図示しない後方カメラにより撮影された映像を液晶パネル４１４により表示するモードと、鏡面反射部により鏡面反射した反射光を表示するモードと、を切り替えることが可能とされている。
【００６９】
インジケータ表示機能付きルームミラー型液晶表示装置４０は、図１６に示すように、平面に視て全体として横長の略台形状をなしており、詳しくは短辺部が途中で一度屈曲されている。インジケータ表示機能付きルームミラー型液晶表示装置４０における短辺寸法に対する長辺寸法の比率は、上記した実施形態１に記載されたものよりも大きなものとなっており、全体の平面形状が実施形態１に記載されたものに比べてより細長い形状となっている。インジケータ表示機能付きルームミラー型液晶表示装置４０に備えられるインジケータ表示用照明装置４１３は、インジケータ用ＬＥＤ４２７及び仕切り部４３０ａの設置数が上記した実施形態１に記載されたものよりも多くなっている。具体的には、このインジケータ表示用照明装置４１３は、インジケータ用ＬＥＤ４２７がＸ軸方向に沿って１７個並んで配されるとともに、仕切り部４３０ａが各インジケータ用ＬＥＤ４２７の間を仕切るよう１８個並んで配されている。なお、本実施形態では、赤色の光を発するインジケータ用ＬＥＤ４２７が１０個、黄色の光または橙色の光を発するインジケータ用ＬＥＤ４２７が７個、それぞれ配置されている。
【００７０】
＜実施形態６＞
本発明の実施形態６を図１７によって説明する。この実施形態６では、上記した実施形態１から液晶表示モジュール５１１の外形及びインジケータ表示用照明装置５１３を構成するインジケータ用ＬＥＤ基板の設置数を変更したものを示す。なお、上記した実施形態１と同様の構造、作用及び効果について重複する説明は省略する。
【００７１】
本実施形態に係る液晶表示モジュール５１１は、図１７に示すように、全体の平面形状が略扇形をなしている。詳しくは、液晶表示モジュール５１１は、図１７に示す上側の長辺部が略円弧状をなしているのに対し、同図下側の長辺部が、中央側が凹んだ略直線状をなしている。インジケータ表示用照明装置５１３は、合計で５個のインジケータ用ＬＥＤ基板（図示を省略する）を有している。５個のインジケータ用ＬＥＤ基板は、液晶表示モジュール５１１を構成するベゼルにおける４つの各辺部のそれぞれに設けられた５個の収容空間（ベゼル共々図示を省略するに）に取り付けられている。従って、平面に視て台形状をなすパネル表示領域ＰＡの周囲には、５つのインジケータ表示領域ＩＡが取り囲むようにして配置されている。なお、図１７では、パネル表示領域ＰＡに、速度計（スピードメータ）ＳＭと回転速度計（タコメータ）ＴＭの各外形を一点鎖線にて図示している。
【００７２】
＜実施形態７＞
本発明の実施形態７を図１８によって説明する。この実施形態７では、上記した実施形態１からインジケータ用ＬＥＤ基板６２８の設置形態を変更したものを示す。なお、上記した実施形態１と同様の構造、作用及び効果について重複する説明は省略する。
【００７３】
本実施形態に係るインジケータ用ＬＥＤ基板６２８は、図１８に示すように、ベゼル６１７における収容空間６２９の底面に取り付けられている。従って、インジケータ用ＬＥＤ基板６２８に実装された頂面発光型のインジケータ用ＬＥＤ６２７は、その発光面６２７ａがインジケータ表示板６１２の板面と対向状をなしている。なお、本実施形態では、仕切り部材（仕切り部）の図示を省略している。
【００７４】
＜実施形態８＞
本発明の実施形態８を図１９によって説明する。この実施形態８では、上記した実施形態７からインジケータ用ＬＥＤ基板７２８の設置形態を変更したものを示す。なお、上記した実施形態７と同様の構造、作用及び効果について重複する説明は省略する。
【００７５】
本実施形態に係るベゼル７１７のパネル押さえ部７１７ａには、図１９に示すように、インジケータ用ＬＥＤ基板７２８を取り付けるための基板取付部３３が設けられている。基板取付部３３は、パネル押さえ部７１７ａを段差状に屈曲させるとともにその屈曲部分に開口３３ａを形成する形で設けられており、その開口３３ａにインジケータ用ＬＥＤ基板７２８を差し込むことで、インジケータ用ＬＥＤ基板７２８を取り付け状態に保持することが可能とされる。
【００７６】
＜実施形態９＞
本発明の実施形態９を図２０によって説明する。この実施形態９では、上記した実施形態７からインジケータ用ＬＥＤ基板８２８の設置形態を変更したものを示す。なお、上記した実施形態７と同様の構造、作用及び効果について重複する説明は省略する。
【００７７】
本実施形態に係るインジケータ用ＬＥＤ基板８２８は、図２０に示すように、ベゼル８１７とは別部品の基板取付部材３４に取り付けられている。基板取付部材３４は、インジケータ用ＬＥＤ基板８２８を裏側から受ける基板受け部３４ａと、基板受け部３４ａの両端部から表側に立ち上がってインジケータ用ＬＥＤ基板８２８の両端部を板厚方向について両側から挟み込んで保持する一対の基板保持部３４ｂと、基板受け部３４ａから裏側に立ち上がる係止部３４ｃと、から構成される。ベゼル８１７のパネル押さえ部８１７ａには、係止部３４ｃを通す係止部挿通孔３５が開口形成されており、係止部挿通孔３５の孔縁に係止部３４ｃが係止されることで、ベゼル８１７に対する基板取付部材３４の保持が図られている。
【００７８】
＜実施形態１０＞
本発明の実施形態１０を図２１によって説明する。この実施形態１０では、上記した実施形態７からインジケータ用ＬＥＤ基板９２８の設置形態を変更したものを示す。なお、上記した実施形態７と同様の構造、作用及び効果について重複する説明は省略する。
【００７９】
本実施形態に係るインジケータ用ＬＥＤ基板９２８は、図２１に示すように、側面発光型のインジケータ用ＬＥＤ９２７を備えている。側面発光型のインジケータ用ＬＥＤ９２７は、インジケータ用ＬＥＤ基板９２８に対する実装面に隣り合う側面が発光面９２７ａとされている。このインジケータ用ＬＥＤ９２７の発光面９２７ａは、ベゼル９１７の収容空間９２９の内面と対向するよう配されることになる。
【００８０】
＜実施形態１１＞
本発明の実施形態１１を図２２から図２５によって説明する。この実施形態１１では、上記した実施形態１からインジケータ用ＬＥＤ基板１０２８の保持構造を変更したものを示す。なお、上記した実施形態１と同様の構造、作用及び効果について重複する説明は省略する。
【００８１】
本実施形態に係るベゼル１０１７の外周側枠状部１０１７ｂの外面には、図２２に示すように、外側に向けて突出する基板保持部（保持構造）３６が一体に設けられている。基板保持部３６は、断面形状が途中で屈曲した略Ｌ字型をなしており、外周側枠状部１０１７ｂの外面からＹ軸方向に沿って突出する基部３６ａと、基部３６ａの突出先端からＺ軸方向に沿って図２２に示す上向きに突出する保持片部３６ｂと、から構成される。インジケータ用ＬＥＤ基板１０２８には、基板保持部３６を通す保持部挿通孔３７が貫通形成されている。基板保持部３６及び保持部挿通孔３７は、図２４に示すように、外周側枠状部１０１７ｂ及びインジケータ用ＬＥＤ基板１０２８におけるＸ軸方向についての両端付近に一対ずつ配されている。
【００８２】
インジケータ用ＬＥＤ基板１０２８の組み付けに際しては、図２２に示す状態からインジケータ用ＬＥＤ基板１０２８をＹ軸方向に沿ってベゼル１０１７の外周側枠状部１０１７ｂに近づけて、図２３及び図２４に示すように、インジケータ用ＬＥＤ基板１０２８が外周側枠状部１０１７ｂの外面に接するよう取り付ける。この過程では、基板保持部３６が保持部挿通孔３７に挿通される。図２４に示す状態から基板保持部３６を工具などによって基部３６ａの軸周りに捻るようにしてかしめ付けると、図２５に示すように、保持片部３６ｂがインジケータ用ＬＥＤ基板１０２８における保持部挿通孔３７の孔縁に係止される。これにより、インジケータ用ＬＥＤ基板１０２８がベゼル１０１７に対して取付状態に保持される。なお、ベゼル１０１７は、金属製であることから、基板保持部３６は塑性変形されており、それによりインジケータ用ＬＥＤ基板１０２８に対するかしめ付け状態が保持されるようになっている。
【００８３】
＜実施形態１２＞
本発明の実施形態１２を図２６から図２８によって説明する。この実施形態１２では、上記した実施形態１からインジケータ用ＬＥＤ基板１１２８の保持構造を変更したものを示す。なお、上記した実施形態１と同様の構造、作用及び効果について重複する説明は省略する。
【００８４】
本実施形態に係るベゼル１１１７の外周側枠状部１１１７ｂを構成する長辺部における長さ方向（Ｘ軸方向）についての両端部には、図２６及び図２７に示すように、一対の基板ガイド部（保持構造）３８が一体に設けられている。基板ガイド部３８は、外周側枠状部１１１７ｂから外側に突出する基部３８ａと、基部３８ａの突出先端からＸ軸方向に沿って内向きに突出して外周側枠状部１１１７ｂとの間に間隔を空けて対向状をなすガイド片部３８ｂと、から構成される。外周側枠状部１１１７ｂの外面には、一対の保持突部（保持構造）３９が設けられており、その突出寸法がインジケータ用ＬＥＤ基板１１２８の厚さ寸法よりも小さくされている。インジケータ用ＬＥＤ基板１１２８には、各保持突部３９を受け入れる一対の保持孔４０が貫通形成されている。
【００８５】
インジケータ用ＬＥＤ基板１１２８の組み付けに際しては、図２７に示す状態からインジケータ用ＬＥＤ基板１１２８をＺ軸方向に沿って外周側枠状部１１１７ｂとガイド片部３８ｂとの間に差し込むようにする。すると、ガイド片部３８ｂによってインジケータ用ＬＥＤ基板１１２８の差し込み動作がガイドされる。インジケータ用ＬＥＤ基板１１２８が正規深さまで差し込まれると、図２８に示すように、各保持突部３９が各保持孔４０内に入り込んで各保持孔４０の孔縁に係止される。このとき、インジケータ用ＬＥＤ基板１１２８は、ガイド片部３８ｂによってＹ軸方向について外側から支持されている。これにより、インジケータ用ＬＥＤ基板１１２８がベゼル１１１７に対して取付状態に保持される。
【００８６】
＜実施形態１３＞
本発明の実施形態１３を図２９によって説明する。この実施形態１３では、上記した実施形態２から仕切り部材１２３０の保持構造を変更したものを示す。なお、上記した実施形態２と同様の構造、作用及び効果について重複する説明は省略する。
【００８７】
本実施形態に係るフレーム１２３２の外周側枠状部１２３２ｂを構成する長辺部における長さ方向（Ｘ軸方向）についての両端部には、図２９に示すように、仕切り部材１２３０を保持するための一対の仕切り部材保持部（保持構造）４１が設けられている。仕切り部材保持部４１は、外周側枠状部１２３２ｂから外側に突出する片持ち状の片部４１ａと、片部４１ａの突出先端からＸ軸方向に沿って内向きに突出する保持突部４１ｂと、から構成されている。これに対し、仕切り部材１２３０における長さ方向についての両端に位置する一対の仕切り部１２３０ａには、各保持突部４１ｂを受け入れる一対の保持孔４２が貫通形成されている。仕切り部材１２３０の組み付けに際しては、仕切り部材１２３０がフレーム１２３２の外周側枠状部１２３２ｂにおける収容空間１２２９内に収容される過程では、仕切り部材１２３０によって各仕切り部材保持部４１の片部４１ａが一旦弾性変形され、仕切り部材１２３０が収容空間１２２９内に収容されると、片部４１ａが弾性復帰するのに伴い保持突部４１ｂが保持孔４２内に入り込むとともに保持孔４２ａの孔縁に係止される。これにより、仕切り部材１２３０がフレーム１２３２に対して取付状態に保持される。
【００８８】
＜実施形態１４＞
本発明の実施形態１４を図３０によって説明する。この実施形態１４では、上記した実施形態１から仕切り部材１３３０の保持構造を追加したものを示す。なお、上記した実施形態１と同様の構造、作用及び効果について重複する説明は省略する。
【００８９】
本実施形態に係る仕切り部材１３３０とベゼル１３１７の外周側枠状部１３１７ｂにおける収容空間１３２９の内面との間には、図３０に示すように、仕切り部材１３３０をベゼル１３１７に対して着脱可能な形で保持するための仕切り部材保持材（保持構造）４３が介設されている。仕切り部材保持材４３は、基材と、その表裏両面に塗布される粘着材と、から構成される、いわゆる両面テープであって、仕切り部材１３３０とベゼル１３１７とにそれぞれ固着されることで、仕切り部材１３３０をベゼル１３１７に対して取付状態に保持することができる。仕切り部材保持材ＤＨにより保持された仕切り部材１３３０に所定以上の剥離力を作用させることで、仕切り部材１３３０をベゼル１３１７から取り外すことが可能とされている。
【００９０】
＜実施形態１５＞
本発明の実施形態１５を図３１または図３２によって説明する。この実施形態１５では、上記した実施形態１からベゼル１４１７及び仕切り部材１４３０の構造を変更したものを示す。なお、上記した実施形態１と同様の構造、作用及び効果について重複する説明は省略する。
【００９１】
本実施形態に係るベゼル１４１７には、図３１及び図３２に示すように、上記した実施形態１に記載したような収容空間２９が設けられることがなく、インジケータ用照明装置１４１３がベゼル１４１７の外側に付加される形で取り付けられている。つまり、インジケータ用照明装置１４１３は、ベゼル１４１７に対して殆どの部分（詳しくは後述する保持部４４に対する保持片４５の重畳部位を除く全域）が平面に視て非重畳の位置関係となる形、言い換えるとＹ軸方向について隣り合う形で並ぶ配置となるよう組み付けられている。
【００９２】
ベゼル１４１７を構成する外周側枠状部１４１７ｂにおける各短辺部分の外面には、一対の保持部（保持構造）４４が外側に向けて突出する形で設けられている。これに対し、インジケータ用照明装置１４１３を構成する仕切り部材１４３０のうち、Ｘ軸方向について両端に位置する一対の仕切り部１４３０ａからＹ軸方向に沿ってベゼル１４１７側に向けて突出する一対の保持片４５が設けられている。保持片４５は、片持ち状をなしており、その突出先端部付近には、保持部４４を受け入れる保持孔４５ａが貫通形成されている。仕切り部材１４３０（インジケータ用照明装置１４１３）の組み付けに際しては、図３１に示すように、一対の保持片４５の間にベゼル１４１７が入るような位置関係として仕切り部材１４３０をベゼル１４１７に対してＹ軸方向に沿って接近させると、各保持片４５が各保持部４４に乗り上げることで一旦弾性変形される。その後、仕切り部材１４３０がベゼル１４１７に対して取付位置に達すると、図３２に示すように、各保持片４５が弾性復帰して各保持孔４５ａ内に各保持部４４が入り込むとともに保持孔４５ａの孔縁に係止される。これにより、仕切り部材１４３０がベゼル１４１７に対して取付状態に保持される。
【００９３】
＜他の実施形態＞
本発明は上記記述及び図面によって説明した実施形態に限定されるものではなく、例えば次のような実施形態も本発明の技術的範囲に含まれる。
（１）上記した各実施形態では、複数の仕切り部を有する仕切り部材が備えられた場合を示したが、仕切り部材を省略し、ベゼルやフレームに仕切り部を設けるようにしても構わない。
【００９４】
（２）上記した各実施形態では、インジケータ用反射シートを用いた場合を示したが、仕切り部材の表面における光反射率が十分に高いものであれば、インジケータ用反射シートを省略することが可能である。また、上記（１）のように仕切り部材を省略した場合においても、仕切り部が設けられたベゼルやフレームの表面における光反射率が十分に高いものであれば、インジケータ用反射シートを省略することが可能である。
【００９５】
（３）上記した各実施形態では、仕切り部が等間隔に設置された場合を示したが、仕切り部の設置間隔が一定でなく、不均一であっても構わない。
【００９６】
（４）上記した実施形態２では、頂面発光型のインジケータ用ＬＥＤをインジケータ用ＬＥＤ基板に実装した場合を示したが、側面発光型のインジケータ用ＬＥＤをインジケータ用ＬＥＤ基板に実装することも可能である。その場合には、インジケータ用ＬＥＤの発光面を裏側に向けるように設置すれば、発光面が収容空間の内面と対向する配置となり、インジケータ用ＬＥＤの発光面がインジケータ表示板とは非対向の配置となるので、インジケータ用ＬＥＤの発光面から発せられた光がインジケータ表示板のインジケータ表示領域に直接的に照射され難くなって、間接的に照射され易くなる。これにより、インジケータ表示領域においてインジケータ用ＬＥＤとその周囲との間に生じ得る明暗の差が緩和され、表示ムラを抑制する上で好適である。
【００９７】
（５）上記した実施形態２では、フレキシブル基板側とは反対側にインジケータ用照明装置を配置した場合を示したが、例えばフレキシブル基板が複数間欠的に並んで配置される場合には、フレキシブル基板の間に存在する隙間を利用してインジケータ用照明装置を設置することも可能である。
【００９８】
（６）上記した実施形態５では、インジケータ表示機能付きルームミラー型液晶表示装置が天井に取り付けられる場合を例示したが、インジケータ表示機能付きルームミラー型液晶表示装置をフロントガラスに取り付けるようにしてもよい。
【００９９】
（７）上記した実施形態５以外にも、例えば単なる鏡を備えたルームミラーに、インジケータ表示機能付きルームミラー型液晶表示装置を後付けする形で設置するようにしてもよい。
【０１００】
（８）上記した各実施形態での図示以外にも、インジケータ用ＬＥＤ基板におけるインジケータ用ＬＥＤの設置数、配置、発光色といった具体的な設計は適宜に変更可能である。インジケータ用ＬＥＤの発光色としては、赤色、黄色または橙色以外にも、青色、緑色、白色などを採用することも可能である。特に、白色の発光色とされるインジケータ用ＬＥＤは、無彩色光源となるが、他の有彩色光源と併用可能である。
【０１０１】
（９）上記した各実施形態での図示以外にも、インジケータ用ＬＥＤ基板の設置数、配置、大きさといった具体的な設計は適宜に変更可能である。
【０１０２】
（１０）上記した各実施形態での図示以外にも、液晶表示モジュールの具体的な外形は適宜に変更可能である。例えば、液晶表示モジュールの外形が真円形状、半円形状、楕円形状、半楕円形状などであっても構わない。
【０１０３】
（１１）上記した各実施形態では、液晶パネルのパネル表示領域に各種計器を表示した場合を図示したが、液晶パネルのパネル表示領域に地図情報、車載カメラ映像などを表示することも可能である。
【０１０４】
（１２）上記した各実施形態での図示以外にも、具体的なインジケータの種類（表示内容）については適宜に変更可能である。
【０１０５】
（１３）上記した各実施形態に記載した液晶表示モジュールにタッチパネルを追加することも可能である。その場合、タッチパネルがインジケータ表示板を兼用し、その表面に遮光部を印刷したフィルムを貼り付けることでインジケータの表示を行うようにしても構わない。
【０１０６】
（１４）上記した各実施形態では、インジケータ用の光源としてＬＥＤを用いた場合を示したが、インジケータ用の光源として有機ＥＬなどの他の種類の光源を用いることも可能である。
【０１０７】
（１５）上記した各実施形態では、液晶パネルが有するカラーフィルタの着色部をＲ，Ｇ，Ｂの３色としたものを例示したが、着色部を４色以上とすることも可能である。
【０１０８】
（１６）上記した各実施形態では、液晶パネルのスイッチング素子としてＴＦＴを用いたが、ＴＦＴ以外のスイッチング素子（例えば薄膜ダイオード（ＴＦＤ））を用いた液晶パネルを備えた液晶表示モジュールでもよい。さらには、カラー表示する液晶表示モジュール以外にも、白黒表示する液晶表示モジュールでもよい。
【０１０９】
（１７）上記した各実施形態では、表示パネルとして液晶パネルを例示したが、他の種類の表示パネル（ＰＤＰ（プラズマディスプレイパネル）、有機ＥＬパネル、ＥＰＤ（電気泳動ディスプレイパネル）、ＭＥＭＳ（Micro Electro Mechanical Systems）表示パネルなど）にも本発明は適用可能である。
【０１１０】
（１８）上記した各実施形態では、乗用車に搭載されるインジケータ表示機能付き液晶表示装置やインジケータ表示機能付きルームミラー型液晶表示装置について例示したが、乗用車以外の車両（自動二輪車、トラクター）に用いることも可能である。さらには車両以外の輸送機器（飛行機、ヘリコプタ、船舶など）に用いることも可能である。
【０１１１】
（１９）上記した各実施形態以外にも、ベゼルやフレームに対するインジケータ用ＬＥＤ基板の具体的な保持構造、及びベゼルやフレームに対する仕切り部材の具体的な保持構造については、適宜に変更可能である。
【符号の説明】
【０１１２】
１０，２１０，３１０…インジケータ表示機能付き液晶表示装置（パネル外表示機能付き表示装置）、１１，１１１，２１１，３１１，４１１，５１１…液晶表示モジュール（表示装置）、１２，１１２，６１２…インジケータ表示板（パネル外表示部）、１３，１１３，２１３，３１３，４１３，１４１３…インジケータ用照明装置（パネル外照明装置）、１４，１１４，２１４，３１４，４１４…液晶パネル（表示パネル）、１７，６１７，７１７，８１７，９１７，１０１７，１１１７，１３１７，１４１７…ベゼル（枠状部材）、１７ａ，７１７ａ，８１７ａ…パネル押さえ部、１９，１１９…フレキシブル基板、２７，１２７，４２７，６２７，９２７…インジケータ用ＬＥＤ（光源、有彩色光源）、２７ａ，６２７ａ，９２７ａ…発光面、２８，１２８，６２８，７２８，８２８，９２８，１０２８，１１２８…インジケータ用ＬＥＤ基板（光源基板）、２９，１２９，６２９，９２９，１２２９，１３２９…収容空間、２９ａ，１２９ａ…仕切り空間、３０，１３０，１２３０，１３３０，１４３０…仕切り部材、３０ａ，１３０ａ，４３０ａ，１２３０ａ，１４３０ａ…仕切り部、３０ｂ，１３０ｂ…繋ぎ部、３０ｃ，１３０ｃ…保持部（保持構造）、３１…インジケータ用反射シート（反射部材）、３２，１２３２…フレーム（枠状部材）、３２ａ…パネル受け部、３２ｂ，１２３２ｂ…外周側枠状部、３６…基板保持部（保持構造）、３８…基板ガイド部（保持構造）、３９…保持突部（保持構造）、４０…インジケータ表示機能付きルームミラー型液晶表示装置（パネル外表示機能付き表示装置）、４１…仕切り部材保持部（保持構造）、４３…仕切り部材保持材（保持構造）、４４…保持部（保持構造）、ＢＨ…基板保持材（保持構造）、ＤＳ…表示面、ＰＡ…パネル表示領域、ＩＡ…インジケータ表示領域（パネル外表示部）
【図１】
0006715035.tif 000002
【図２】
0006715035.tif 000003
【図３】
0006715035.tif 000004
【図４】
0006715035.tif 000005
【図５】
0006715035.tif 000006
【図６】
0006715035.tif 000007
【図７】
0006715035.tif 000008
【図８】
0006715035.tif 000009
【図９】
0006715035.tif 000010
【図１０】
0006715035.tif 000011
【図１１】
0006715035.tif 000012
【図１２】
0006715035.tif 000013
【図１３】
0006715035.tif 000014
【図１４】
0006715035.tif 000015
【図１５】
0006715035.tif 000016
【図１６】
0006715035.tif 000017
【図１７】
0006715035.tif 000018
【図１８】
0006715035.tif 000019
【図１９】
0006715035.tif 000020
【図２０】
0006715035.tif 000021
【図２１】
0006715035.tif 000022
【図２２】
0006715035.tif 000023
【図２３】
0006715035.tif 000024
【図２４】
0006715035.tif 000025
【図２５】
0006715035.tif 000026
【図２６】
0006715035.tif 000027
【図２７】
0006715035.tif 000028
【図２８】
0006715035.tif 000029
【図２９】
0006715035.tif 000030
【図３０】
0006715035.tif 000031
【図３１】
0006715035.tif 000032
【図３２】
0006715035.tif 000033